(57)【要約】【課題】簡素な構成で適正な画像形成条件を設定する。【解決手段】画像形成装置１は、外部検出器Ｓ１、湿度算出部６４、及び、補正部６５を備える。外部検出器Ｓ１は、外部温度ＴＧ及び外部湿度ＨＧを検出する。外部温度ＴＧは、画像形成装置１の外部の温度である。外部湿度ＨＧは、画像形成装置１の外部の温度である。湿度算出部６４は、主電源がオンされたときの外部温度ＴＧ１及び外部湿度ＨＧ１に基づいて、絶対湿度ＡＨ１を求める。補正部６５は、湿度算出部６４によって求められた絶対湿度ＡＨ１に基づいて、画像を形成する条件である画像形成条件を補正する。【選択図】図３
2016224109.tif 000002
【特許請求の範囲】
【請求項１】
記録媒体に画像を形成する画像形成装置であって、
前記画像形成装置の外部温度、及び、前記画像形成装置の外部湿度を検出する外部検出器と、
主電源がオンされたときの前記外部温度及び前記外部湿度に基づいて、絶対湿度を求める湿度算出部と、
前記湿度算出部によって求められた前記絶対湿度に基づいて、前記画像を形成する条件である画像形成条件を補正する補正部と
を備える、画像形成装置。
【請求項２】
前記画像形成装置の内部温度を検出する内部検出器を備え、
前記補正部は、前記内部温度に基づいて、前記画像形成条件を補正する、請求項１に記載の画像形成装置。
【請求項３】
前記外部温度及び前記外部湿度を記憶する温湿度記憶部と、
主電源がオンされたときに、前記外部温度と前記内部温度との差である内外温度差を求める温度差算出部と、
前記内外温度差の絶対値が、予め設定された温度閾値以上であるか否かを判定する判定部と、
前記判定部によって前記内外温度差の絶対値が前記温度閾値未満であると判定された場合に、前記外部温度及び前記外部湿度を前記温湿度記憶部に書き込む検出値記録部と
を備え、
前記判定部によって前記内外温度差の絶対値が前記温度閾値以上であると判定された場合に、前記補正部は、前記温湿度記憶部に記憶された前記外部温度及び前記外部湿度に基づいて、前記画像形成条件を補正する、請求項２に記載の画像形成装置。
【請求項４】
前記絶対湿度を記憶する湿度記憶部と、
主電源がオンされたときに、前記外部温度と前記内部温度との差である内外温度差を求める温度差算出部と、
前記内外温度差の絶対値が、予め設定された温度閾値以上であるか否かを判定する判定部と、
前記判定部によって前記内外温度差の絶対値が前記温度閾値未満であると判定された場合に、前記絶対湿度を前記湿度記憶部に書き込む検出値記録部と
を備え、
前記判定部によって前記内外温度差の絶対値が前記温度閾値以上であると判定された場合に、前記補正部は、前記湿度記憶部に記憶された絶対湿度に基づいて、前記画像形成条件を補正する、請求項２に記載の画像形成装置。
【請求項５】
前記補正部は、
前記外部温度及び前記外部湿度に基づいて、前記画像形成条件を補正する外部補正部と、
前記湿度算出部によって求められた絶対湿度、及び、前記内部温度に基づいて、前記画像形成条件を補正する内部補正部と
を備える、請求項２から請求項４のいずれか１項に記載の画像形成装置。
【請求項６】
記録媒体に画像を形成する画像形成装置の画像形成方法であって、
前記画像形成装置は、外部温度及び外部湿度を検出する外部検出器を備え、
主電源がオンされたときの前記外部温度及び前記外部湿度に基づいて、絶対湿度を求める湿度算出工程と、
前記湿度算出工程において求められた絶対湿度に基づいて、前記画像を形成する条件である画像形成条件を補正する補正工程と
を含む、画像形成方法。
【発明の詳細な説明】
【技術分野】
【０００１】
本発明は、画像形成装置、及び、画像形成方法に関する。
【背景技術】
【０００２】
従来、画像形成装置において、環境条件に基づいて画像形成条件を設定することが知られている。
【０００３】
例えば、温度及び湿度に基づいて画像形成条件を設定する画像形成装置が開示されている（特許文献１参照）。この画像形成装置では、２箇所以上の場所で、温度及び湿度が検出される。
【０００４】
特許文献１に記載の画像形成装置によれば、良好な画像が得られると記載されている。
【先行技術文献】
【特許文献】
【０００５】
【特許文献１】特開平４−２８５９７２号公報
【発明の概要】
【発明が解決しようとする課題】
【０００６】
しかしながら、特許文献１に記載の画像形成装置では、２箇所以上の場所で温度及び湿度を検出するため、コスト及び設置スペースの観点で改善の余地がある。具体的には、２箇所以上の場所で温度及び湿度を検出するために、温度及び湿度を検出する検出器を２個以上配置する必要がある。よって、コストの増加、及び、画像形成装置内のスペースの減少という課題が発生する恐れがある。
【０００７】
本発明は、上記課題に鑑みてなされたものであり、簡素な構成で適正な画像形成条件を設定することの可能な画像形成装置及び画像形成方法を提供することを目的としている。
【課題を解決するための手段】
【０００８】
本発明の画像形成装置は、記録媒体に画像を形成する画像形成装置であって、外部検出器、湿度算出部、及び、補正部を備える。前記外部検出器は、外部温度、及び、外部湿度を検出する。前記湿度算出部は、主電源がオンされたときの前記外部温度及び前記外部湿度に基づいて、絶対湿度を求める。前記補正部は、前記湿度算出部によって求められた絶対湿度に基づいて、前記画像を形成する条件である画像形成条件を補正する。
【０００９】
本発明の画像形成方法は、記録媒体に画像を形成する画像形成装置の画像形成条件を補正する補正方法であって、湿度算出工程、及び、補正工程を含む。前記画像形成装置は、外部検出器を備える。前記外部検出器は、外部温度、及び、外部湿度を検出する。前記湿度算出工程では、主電源がオンされたときの前記外部温度及び前記外部湿度に基づいて、絶対湿度を求める。前記補正工程では、前記湿度算出工程において求められた絶対湿度に基づいて、前記画像を形成する条件である画像形成条件を補正する。
【発明の効果】
【００１０】
本発明の画像形成装置及び画像形成方法によれば、簡素な構成で適正な画像形成条件を設定することができる。
【図面の簡単な説明】
【００１１】
【図１】本発明の実施形態に係る画像形成装置の構成を示す側面図である。
【図２】図１に示す画像形成部及び転写部の構成を示す側面図である。
【図３】図１に示す制御部の構成を示す図である。
【図４】図３に示す制御部の動作を示すフローチャート（前半部）である。
【図５】図３に示す制御部の動作を示すフローチャート（後半部）である。
【発明を実施するための形態】
【００１２】
以下、本発明の実施形態について、図面（図１〜図５）を参照しながら説明する。なお、図中、同一又は相当部分については同一の参照符号を付して説明を繰り返さない。
【００１３】
まず、図１を参照して、本実施形態に係る画像形成装置１について説明する。図１は、本実施形態に係る画像形成装置１の構成を示す図である。本実施形態において画像形成装置１は、カラー複写機である。
【００１４】
図１に示すように、画像形成装置１は、用紙Ｐ上に画像を形成する装置であって、筐体１０、給紙部２、搬送部Ｌ、トナー補給ユニット３、画像形成部４、転写部５、定着部７、及び、排出部８を備える。
【００１５】
給紙部２は、筐体１０の下部に配置され、用紙Ｐを搬送部Ｌへ供給する。給紙部２は、複数枚の用紙Ｐを収容可能であって、最上部の用紙Ｐを１枚ずつ搬送部Ｌへ供給する。
【００１６】
搬送部Ｌは、給紙部２によって供給された用紙Ｐを、転写部５及び定着部７を経由して排出部８まで搬送する。
【００１７】
トナー補給ユニット３は、画像形成部４にトナーを供給する容器であって、４つのトナーカートリッジ３ｃ、３ｍ、３ｙ、３ｋを備える。トナーカートリッジ３ｃには、シアン色のトナーが収容される。トナーカートリッジ３ｍには、マゼンタ色のトナーが収容される。トナーカートリッジ３ｙには、イエロー色のトナーが収容される。トナーカートリッジ３ｋには、ブラック色のトナーが収容される。
【００１８】
転写部５は、中間転写ベルト５４を備える。転写部５は、画像形成部４によって、中間転写ベルト５４上に形成されたトナー像を、用紙Ｐ上に転写する。転写部５の構成については、図２を参照して後述する。
【００１９】
画像形成部４は、４つの画像形成部４ｃ、４ｍ、４ｙ、４ｋを含む。画像形成部４ｃには、トナーカートリッジ３ｃからシアントナーが供給される。画像形成部４ｍには、トナーカートリッジ３ｍからマゼンタトナーが供給される。画像形成部４ｙには、トナーカートリッジ３ｙからイエロートナーが供給される。画像形成部４ｋには、トナーカートリッジ３ｋからブラックトナーが供給される。画像形成部４の構成については、図２を参照して後述する。
【００２０】
定着部７は、転写部５によって用紙Ｐに形成されたトナー像を定着するローラー対であって、加熱ローラー７１及び加圧ローラー７２を備える。用紙Ｐは、加熱ローラー７１及び加圧ローラー７２によって加熱及び加圧される。その結果、転写部５において用紙Ｐに転写された未定着のトナー像が、定着部７によって定着される。排出部８は、トナー像が定着された用紙Ｐを装置の外部へ排出する。
【００２１】
筐体１０は、その側面に、空気取込口１０１が配置されている。空気取込口１０１には、スリットが形成されている。このスリットを介して外部からの空気が筐体１０の内部に取り込まれる。
【００２２】
筐体１０の内部において空気取込口１０１の近傍には、外部検出器Ｓ１が配置されている。外部検出器Ｓ１は、外部温度ＴＧ及び外部湿度ＨＧを検出する。外部温度ＴＧは、画像形成装置１の外部の温度である。正確には、外部温度ＴＧは、空気取込口１０１を介して外部から流入した空気の温度である。外部湿度ＨＧは、画像形成装置１の外部の湿度である。正確には、外部湿度ＨＧは、空気取込口１０１を介して外部から流入した空気の湿度である。外部検出器Ｓ１によって検出された外部温度ＴＧ及び外部湿度ＨＧは、制御部６へ伝送される。
【００２３】
画像形成部４の適所には、内部検出器Ｓ２が配置されている。内部検出器Ｓ２は、内部温度ＴＮを検出する。内部温度ＴＮは、画像形成装置１の内部の温度である。例えば、内部検出器Ｓ２は、画像形成部４の内部に配置されている。よって、内部温度ＴＮは、画像形成部４の内部の温度である。内部検出器Ｓ２によって検出された内部温度ＴＮは、制御部６へ伝送される。
【００２４】
次に、図２を参照して画像形成部４及び転写部５の構成について説明する。図２は、画像形成部４及び転写部５の構成を示す側面図である。図２に示すように、画像形成部４は、４つの画像形成部４ｃ、４ｍ、４ｙ、４ｋを備える。
【００２５】
画像形成部４ｃ、４ｍ、４ｙ、４ｋは、それぞれ、露光装置４１、感光体ドラム４２、現像部４３、帯電ローラー４４、及び、クリーニングブレード４５を備える。４つの画像形成部４ｃ、４ｍ、４ｙ、４ｋの構成は、略同一である。したがって、本明細書では、シアントナーが供給される画像形成部４ｃの構成について説明し、画像形成部４ｃ以外の画像形成部４ｍ、４ｙ、４ｋの構成についての説明は省略する。
【００２６】
画像形成部４ｃは、露光部４１ｃ（４１）、感光体ドラム４２ｃ（４２）、現像部４３ｃ（４３）、帯電ローラー４４ｃ（４４）、及び、クリーニングブレード４５ｃ（４５）を有する。
【００２７】
帯電ローラー４４ｃは、感光体ドラム４２ｃを所定の電位に帯電させる。露光部４１ｃは、感光体ドラム４２ｃにレーザー光を照射して露光し、感光体ドラム４２ｃ上に静電潜像を形成する。現像部４３ｃは、現像ローラー４３１ｃを有する。現像ローラー４３１ｃは、感光体ドラム４２ｃにシアントナーを供給して上記静電潜像を現像してトナー像を形成する。このようにして、感光体ドラム４２ｃの周面にシアン色のトナー像が形成される。
【００２８】
クリーニングブレード４５ｃは、その先端（図２では上端）が、感光体ドラム４２ｃの周面と摺接する。感光体ドラム４２ｃの周面とクリーニングブレード４５ｃの先端とが摺接することで、感光体ドラム４２ｃの周面に残留するシアントナーが除去される。
【００２９】
転写部５は、用紙Ｐにトナー像を転写する。転写部５は、４つの１次転写ローラー５１（５１ｃ、５１ｍ、５１ｙ、５１ｋ）、２次転写ローラー５２、駆動ローラー５３、中間転写ベルト５４、及び、従動ローラー５５を備える。
【００３０】
転写部５は、各画像形成部４ｃ、４ｍ、４ｙ、４ｋの感光体ドラム４２（４２ｃ、４２ｍ、４２ｙ、４２ｋ）に形成された各トナー像を重ねて中間転写ベルト５４に転写する。その後、転写部５は、重ねられたトナー像を中間転写ベルト５４から用紙Ｐに転写する。
【００３１】
１次転写ローラー５１ｃは、中間転写ベルト５４を介して感光体ドラム４２ｃに対向して配置される。１次転写ローラー５１ｃは、不図示の駆動機構によって中間転写ベルト５４を介して感光体ドラム４２ｃに圧接したり、感光体ドラム４２ｃから離れたりすることができる。１次転写ローラー５１ｃは、通常、中間転写ベルト５４を介して感光体ドラム４２ｃに圧接されている。他の１次転写ローラー５１ｍ、５１ｙ、５１ｋも１次転写ローラー５１ｃと同様に、それぞれ対応する感光体ドラム４２（４２ｍ、４２ｙ、又は４２ｋ）に中間転写ベルト５４を介して圧接されている。
【００３２】
駆動ローラー５３は、２次転写ローラー５２に対向して配置され、中間転写ベルト５４を駆動する。
【００３３】
中間転写ベルト５４は、４つの１次転写ローラー５１、駆動ローラー５３、及び、従動ローラー５５に張架された無端ベルトである。中間転写ベルト５４は、駆動ローラー５３によって、図２では矢印Ｆ１、Ｆ２に示す通り、反時計回りに回転駆動される。また、中間転写ベルト５４は、その表面側が各感光体ドラム４２（４２ｃ、４２ｍ、４２ｙ、４２ｋ）の周面に、それぞれ、当接している。中間転写ベルト５４の表面には、１次転写ローラー５１（５１ｃ、５１ｍ、５１ｙ、５１ｋ）によって、感光体ドラム４２（４２ｃ、４２ｍ、４２ｙ、４２ｋ）からトナー像が転写される。
【００３４】
従動ローラー５５は、中間転写ベルト５４の回転に伴って回転駆動される。従動ローラー５５に、中間転写ベルト５４を介して対向する位置には、ブレード５６が配置されている。ブレード５６は、中間転写ベルト５４の表面に残留しているトナーを除去する。
【００３５】
２次転写ローラー５２は、駆動ローラー５３に押圧されている。これにより、２次転写ローラー５２と駆動ローラー５３との間にニップ部Ｎが形成される。２次転写ローラー５２及び駆動ローラー５３は、用紙Ｐがニップ部Ｎを通過する際に、中間転写ベルト５４上のトナー像を用紙Ｐに転写する。
【００３６】
次に、図３を参照して、制御部６の構成について説明する。図３は、制御部６の構成を示す図である。制御部６は、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、及び、ＥＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）を備える。ＲＯＭは、制御プログラムを格納している。ＣＰＵは、ＲＯＭに格納された制御プログラムを読み出して実行することによって、画像形成装置１の動作を制御する。ＲＡＭは、ＣＰＵの作業領域として用いられる。
【００３７】
ＣＰＵは、ＲＯＭに格納された制御プログラムを読み出して実行することによって、温度差算出部６１、判定部６２、検出値記録部６３、湿度算出部６４、及び、補正部６５として機能する。また、ＣＰＵは、ＲＯＭに格納された制御プログラムを読み出して実行することによって、ＥＥＰＲＯＭを、条件記憶部６６、及び、温湿度記憶部６７として機能させる。
【００３８】
条件記憶部６６は、画像形成条件を予め記憶している。画像形成条件は、画像形成装置１が用紙Ｐに画像を形成する条件である。具体的には、画像形成条件は、転写電圧ＶＴ、現像バイアス電圧ＶＤ、及び、帯電電圧ＶＣを含む。転写電圧ＶＴは、１次転写ローラー５１と感光体ドラム４２との間に印加される電圧である。現像バイアス電圧ＶＤは、現像ローラー４３１と感光体ドラム４２との間に印加される直流電圧である。帯電電圧ＶＣは、帯電ローラー４４と感光体ドラム４２との間に印加される電圧である。
【００３９】
温湿度記憶部６７は、外部検出器Ｓ１によって検出された外部温度ＴＧ及び外部湿度ＨＧを格納する。外部温度ＴＧ及び外部湿度ＨＧは、検出値記録部６３によって、温湿度記憶部６７に書き込まれる。外部温度ＴＧ及び外部湿度ＨＧが新たに書き込まれると、温湿度記憶部６７に記憶されていた外部温度ＴＧ及び外部湿度ＨＧは消去される。また、温湿度記憶部６７に格納された外部温度ＴＧ及び外部湿度ＨＧを、便宜上、それぞれ、外部温度ＴＧ０及び外部湿度ＨＧ０と記載する。
【００４０】
温度差算出部６１は、主電源がオンしたときに、外部温度ＴＧ、外部湿度ＨＧ及び内部温度ＴＮを取得する。主電源がオンしたときに取得される外部温度ＴＧ、外部湿度ＨＧ及び内部温度ＴＮを、便宜上、それぞれ、外部温度ＴＧ１、外部湿度ＨＧ１及び内部温度ＴＮ１と記載する。また、温度差算出部６１は、印刷指示を受け付けたときに、外部温度ＴＧ、外部湿度ＨＧ及び内部温度ＴＮを取得する。印刷指示を受け付けたときに取得される外部温度ＴＧ、外部湿度ＨＧ及び内部温度ＴＮを、便宜上、それぞれ、外部温度ＴＧ２、外部湿度ＨＧ２及び内部温度ＴＮ２と記載する。
【００４１】
なお、温度差算出部６１は、外部検出器Ｓ１から外部温度ＴＧ１、ＴＧ２及び外部湿度ＨＧ１、ＨＧ２を取得する。また、温度差算出部６１は、内部検出器Ｓ２から内部温度ＴＮ１、ＴＮ２を取得する。更に、温度差算出部６１は、主電源がオンしたときに、外部温度ＴＧ１と内部温度ＴＮ１との差を求める。なお、外部温度ＴＧ１と内部温度ＴＮ１との差を、便宜上、内外温度差ＧＮ１と記載する。
【００４２】
判定部６２は、内外温度差ＧＮ１の絶対値が、予め設定された所定の閾値温度ΔＴＨ以上であるか否かを判定する。内外温度差ＧＮ１は、主電源がオンしたときに温度差算出部６１によって求められる。閾値温度ΔＴＨは、例えば、２℃である。
【００４３】
内部温度ＴＮは、画像形成部４の動作に伴って上昇するため、外部温度ＴＧより高くなる。よって、主電源をオフした後の経過時間が短い場合には、主電源をオンしたときの内部温度ＴＮ１は、外部温度ＴＧ１より高い。なお、経過時間が短い場合とは、例えば、経過時間が３０分以下である場合である。一方、主電源をオフした後の経過時間が長い場合には、主電源をオンしたときの内部温度ＴＮ１が、外部温度ＴＧ１と概ね同じ温度になる。経過時間が長い場合とは、例えば、経過時間が３時間以上である場合である。したがって、内外温度差ＧＮ１の絶対値が閾値温度ΔＴＨ未満であるとは、主電源をオフした後の経過時間が長いことを意味する。
【００４４】
検出値記録部６３は、外部温度ＴＧ１及び外部湿度ＨＧ１を温湿度記憶部６７に記録する。なお、判定部６２によって内外温度差ＧＮ１の絶対値が閾値温度ΔＴＨ未満であると判定された場合に、検出値記録部６３は外部温度ＴＧ１及び外部湿度ＨＧ１を記録する。
【００４５】
湿度算出部６４は、判定部６２によって内外温度差ＧＮ１の絶対値が閾値温度ΔＴＨ未満であると判定された場合に、外部温度ＴＧ１及び外部湿度ＨＧ１から絶対湿度ＡＨ１を求める。外部温度ＴＧ１及び外部湿度ＨＧ１は、主電源がオンしたときに、温度差算出部６１によって取得される。本実施形態では、絶対湿度ＡＨ１が、容積絶対湿度である場合について説明する。すなわち、絶対湿度ＡＨ１は、外部の空気の単位容積に含まれる水蒸気の量を質量で表した湿度（単位は、ｇ／ｍ3）である。
【００４６】
湿度算出部６４は、判定部６２によって内外温度差ＧＮ１の絶対値が閾値温度ΔＴＨ以上であると判定された場合に、温湿度記憶部６７に格納された外部温度ＴＧ０及び外部湿度ＨＧ０を読み出す。そして、湿度算出部６４は、外部温度ＴＧ０及び外部湿度ＨＧ０から絶対湿度ＡＨ０を求める。なお、絶対湿度ＡＨ０は、外部温度ＴＧ０及び外部湿度ＨＧ０から求められる絶対湿度である。絶対湿度ＡＨ１は、外部温度ＴＧ１及び外部湿度ＨＧ１から求められる絶対湿度である。両者を区別するために、互いに相違する参照符号を付している。
【００４７】
補正部６５は、条件記憶部６６に記憶された画像形成条件を読み出し、読み出された画像形成条件を補正する。画像形成装置１は、補正された画像形成条件に基づいて画像を形成する。また、補正部６５は、外部補正部６５１及び内部補正部６５２を備える。
【００４８】
外部補正部６５１は、外部温度ＴＧ２及び外部湿度ＨＧ２に基づき、画像形成条件を補正する。外部温度ＴＧ２及び外部湿度ＨＧ２は、印刷指示を受け付けたときに、温度差算出部６１によって外部検出器Ｓ１から取得される。
【００４９】
例えば、外部湿度ＨＧ２が高い程、用紙Ｐが湿るため、転写及び現像が困難になる。よって、外部補正部６５１は、外部湿度ＨＧ２が高い程転写電圧ＶＴ及び現像バイアス電圧ＶＤが増加する補正を行う。
【００５０】
内部補正部６５２は、内部温度ＴＮ２及び絶対湿度ＡＨ１（又は、絶対湿度ＡＨ０）に基づき、画像形成条件を補正する。内部温度ＴＮ２は、印刷指示を受け付けたときに、温度差算出部６１によって内部検出器Ｓ２から取得される。絶対湿度ＡＨ１は、湿度算出部６４によって外部温度ＴＧ１及び外部湿度ＨＧ１から求められる。また、内部補正部６５２は、内部温度ＴＮ２及び絶対湿度ＡＨ１（又は、絶対湿度ＡＨ０）に基づき、内部湿度ＨＮ２を推定する。すなわち、内部補正部６５２は、内部温度ＴＮ２と、推定した内部湿度ＨＮ２とに基づき、画像形成条件を補正する。
【００５１】
例えば、内部温度ＴＮ２が高い程、感光体ドラム４２が帯電し難い。よって、内部補正部６５２は、内部温度ＴＮ２が高い程、帯電電圧ＶＣを増加する補正を行う。また、例えば、内部湿度ＨＮ２が高い程、１次転写ローラー５１の抵抗が増大する。よって、内部補正部６５２は、内部湿度ＨＮ２が高い程、転写電圧ＶＴを増加する補正を行う。
【００５２】
上述のように、外部検出器Ｓ１によって、外部温度ＴＧ及び外部湿度ＨＧが検出される。また、湿度算出部６４によって、外部温度ＴＧ１及び外部湿度ＨＧ１から絶対湿度ＡＨ１が求められる。なお、外部温度ＴＧ１及び外部湿度ＨＧ１は、それぞれ、主電源がオンしたときの外部温度ＴＧ及び外部湿度ＨＧである。そして、内部補正部６５２によって、絶対湿度ＡＨ１に基づき、画像形成条件を補正されるため、簡素な構成で適正な画像形成条件を設定することができる。
【００５３】
また、内部検出器Ｓ２によって内部温度ＴＮが検出される。そして、補正部６５によって、内部温度ＴＮ２に基づいて、画像形成条件が補正されるため、更に適正な画像形成条件を設定することができる。なお、内部温度ＴＮ２は、印刷指示を受け付けたときの内部温度ＴＮである。
【００５４】
更に、判定部６２によって、内外温度差ＧＮ１の絶対値が閾値温度ΔＴＨ以上であると判定された場合に、湿度算出部６４は、外部温度ＴＧ０及び外部湿度ＨＧ０から絶対湿度ＡＨ０を求める。そして、内部補正部６５２によって、絶対湿度ＡＨ０と内部検出器Ｓ２によって検出された内部温度ＴＮ２とに基づいて、画像形成条件が補正される。よって、内外温度差ＧＮ１の絶対値が閾値温度ΔＴＨ以上である場合にも、補正部６５によって絶対湿度ＡＨ０に基づいて画像形成条件が補正される。したがって、適正な画像形成条件を設定することができる。
【００５５】
加えて、外部補正部６５１によって外部温度ＴＧ１及び外部湿度ＨＧ１に基づいて、画像形成条件が補正される。また、内部補正部６５２によって、絶対湿度ＡＨ１及び内部温度ＴＮ１に基づいて、又は、絶対湿度ＡＨ０及び内部温度ＴＮ１に基づいて、画像形成条件が補正される。よって、更に適正な画像形成条件を設定することができる。
【００５６】
次に、図４及び図５を参照して、制御部６の動作について説明する。図４及び図５は、制御部６の動作を示すフローチャートである。
【００５７】
図４に示すように、まず、温度差算出部６１によって、主電源がオンされたか否かの判定が行われる（ステップＳ１０１）。主電源がオンされていないと判定された場合（ステップＳ１０１でＮＯ）には、処理が待機される。主電源がオンされたと判定された場合（ステップＳ１０１でＹＥＳ）には、処理がステップＳ１０３へ進められる。そして、温度差算出部６１によって、外部温度ＴＧ１、外部湿度ＨＧ１及び内部温度ＴＮ１が取得される（ステップＳ１０３）。
【００５８】
次に、判定部６２によって、内外温度差ＧＮ１（すなわち、外部温度ＴＧ１と内部温度ＴＮ１との差）の絶対値が、閾値温度ΔＴＨ以上であるか否かの判定が行われる（ステップＳ１０５）。閾値温度ΔＴＨ以上であると判定された場合（ステップＳ１０５でＹＥＳ）には、処理が、図５のステップＳ１２１へ進められる。閾値温度ΔＴＨ以上ではないと判定された場合（ステップＳ１０５でＮＯ）には、処理がステップＳ１０７へ進められる。そして、湿度算出部６４によって、外部温度ＴＧ１及び外部湿度ＨＧ１から絶対湿度ＡＨ１が求められる（ステップＳ１０７）。次いで、検出値記録部６３によって、外部温度ＴＧ１及び外部湿度ＨＧ１が温湿度記憶部６７に記録される（ステップＳ１０９）。
【００５９】
次に、温度差算出部６１によって、印刷指示を受け付けたか否かの判定が行われる（ステップＳ１１１）。印刷指示を受け付けていないと判定された場合（ステップＳ１１１でＮＯ）には、処理が待機状態とされる。印刷指示を受け付けたと判定された場合（ステップＳ１１１でＹＥＳ）には、処理がステップＳ１１３へ進められる。そして、温度差算出部６１によって、外部温度ＴＧ２、外部湿度ＨＧ２及び内部温度ＴＮ２が取得される（ステップＳ１１３）。
【００６０】
次に、外部補正部６５１によって、外部温度ＴＧ２及び外部湿度ＨＧ２に基づき、画像形成条件が補正される（ステップＳ１１５）。そして、内部補正部６５２によって、内部温度ＴＮ２及び絶対湿度ＡＨ１に基づき、画像形成条件が補正される（ステップＳ１１７）。次いで、ステップＳ１１５及びステップＳ１１７で補正された画像形成条件で、印刷処理が行われ（ステップＳ１１９）、処理が終了される。
【００６１】
ステップＳ１０５でＹＥＳの場合には、図５に示すように、湿度算出部６４によって、温湿度記憶部６７から外部温度ＴＧ０及び外部湿度ＨＧ０が読み出される（ステップＳ１２１）。そして、湿度算出部６４によって、外部温度ＴＧ０及び外部湿度ＨＧ０から絶対湿度ＡＨ０が求められる（ステップＳ１２３）。
【００６２】
次に、温度差算出部６１によって、印刷指示を受け付けたか否かの判定が行われる（ステップＳ１２５）。印刷指示を受け付けていないと判定された場合（ステップＳ１２５でＮＯ）には、処理が待機状態とされる。印刷指示を受け付けたと判定された場合（ステップＳ１２５でＹＥＳ）には、処理がステップＳ１２７へ進められる。そして、温度差算出部６１によって、外部温度ＴＧ２、外部湿度ＨＧ２及び内部温度ＴＮ２が取得される（ステップＳ１２７）。
【００６３】
次に、外部補正部６５１によって、外部温度ＴＧ２及び外部湿度ＨＧ２に基づき、画像形成条件が補正される（ステップＳ１２９）。そして、内部補正部６５２によって、内部温度ＴＮ２及び絶対湿度ＡＨ０に基づき、画像形成条件が補正される（ステップＳ１３１）。次いで、ステップＳ１２９及びステップＳ１３１で補正された画像形成条件で、印刷処理が行われ（ステップＳ１３３）、処理が終了される。
【００６４】
図４、図５を参照して説明したように、外部補正部６５１によって外部温度ＴＧ１及び外部湿度ＨＧ１に基づいて、画像形成条件が補正される。また、内部補正部６５２によって絶対湿度ＡＨ１（又は、絶対湿度ＡＨ０）、及び、内部温度ＴＮ１に基づいて、画像形成条件が補正される。よって、更に適正な画像形成条件を設定することができる。
【００６５】
なお、ステップＳ１０７が「湿度算出工程」に相当する。また、ステップＳ１１７が「補正工程」に相当する。
【００６６】
以上、図面を参照しながら本発明の実施形態について説明した。ただし、本発明は、上記の実施形態に限られるものではなく、その要旨を逸脱しない範囲で種々の態様において実施することが可能である（例えば、下記に示す（１）〜（４））。図面は、理解し易くするために、それぞれの構成要素を主体に模式的に示しており、図示された各構成要素の厚み、長さ、個数等は、図面作成の都合上から実際とは異なる場合がある。また、上記の実施形態で示す各構成要素の形状、寸法等は一例であって、特に限定されるものではなく、本発明の構成から実質的に逸脱しない範囲で種々の変更が可能である。
【００６７】
（１）本実施形態では、内部検出器Ｓ２が画像形成部４の内部に配置される場合について説明したが、これに限定されない。内部検出器Ｓ２が画像形成部４の適所に配置されていればよい。例えば、内部検出器Ｓ２が定着部７の近傍に配置されている形態でもよい。また、内部検出器Ｓ２が画像形成装置１の内部の複数個所に配置されている形態でもよい。例えば、内部検出器Ｓ２が画像形成部４及び定着部７にそれぞれ配置されている形態でもよい。
【００６８】
（２）本実施形態では、絶対湿度ＡＨ１が容積絶対湿度である形態について説明したが、これに限定されない。絶対湿度ＡＨ１が重量絶対湿度である形態でもよい。なお、重量絶対湿度とは、乾燥空気の重量ＭＤＡに対する湿潤空気中に含まれる水蒸気の重量ＭＷの比ＳＨ（ＭＷ／ＭＤＡ）である。
【００６９】
（３）本実施形態では、内外温度差ＧＮ１の絶対値が閾値温度ΔＴＨ未満である場合に、外部温度ＴＧ１及び外部湿度ＨＧ１を記録する形態について説明したが、これに限定されない。外部温度ＴＧ１及び外部湿度ＨＧ１に換えて（又は加えて）絶対湿度ＡＨ１を記憶部に記録する形態でもよい。この場合には、絶対湿度ＡＨ１を求める回数を低減することができる。具体的には、図５に示すフローチャートのステップＳ１２３の処理を省略することができる。
【００７０】
（４）本実施形態では、印刷指示を受け付けたときに外部温度ＴＧ２、外部湿度ＨＧ２及び内部温度ＴＮ２を取得する形態について説明したが、これに限定されない。印刷指示を受け付けた以降、印刷が完了するまでに、所定時間間隔で、外部温度ＴＧ２、外部湿度ＨＧ２及び内部温度ＴＮ２を取得する形態でもよい。この場合には、印刷中における外部温度ＴＧ２、外部湿度ＨＧ２及び内部温度ＴＮ２の変化に応じて、適正に画像形成条件を補正することができる。なお、上記所定時間は例えば、２分間である。
【産業上の利用可能性】
【００７１】
本発明は、画像形成の分野に利用可能である。
【符号の説明】
【００７２】
１    画像形成装置
２    給紙部
３    トナー補給ユニット
４    画像形成部
４１    露光装置
４２    感光体ドラム
４３    現像部
４３１    現像ローラー
４４    帯電ローラー
４５    クリーニングブレード
５    転写部
６    制御部
６１    温度差算出部
６２    判定部
６３    検出値記録部
６４    湿度算出部
６５    補正部
６５１    外部補正部
６５２    内部補正部
６６    条件記憶部
６７    温湿度記憶部
７    定着部
８    排出部
Ｌ    搬送部
Ｓ１    外部検出器
Ｓ２    内部検出器
【図１】
2016224109.tif 000003
【図２】
2016224109.tif 000004
【図３】
2016224109.tif 000005
【図４】
2016224109.tif 000006
【図５】
2016224109.tif 000007